(57)【要約】【課題】登録された携帯電話からＩＰ電話機のウエブサーバに接続があった場合に、電話帳を参照して通信先を選択し、選択された通話先に応じて通話料金の安い接続ルートで通話できるようにする。【解決手段】携帯電話からブロードバンドルータを介してＩＰ電話機のウエブサーバに接続があったことをウエブ接続判定手段２１３が検出した場合、端末認証手段２１４は、携帯電話使用者のＩＤに基づいて登録端末か否かを認証し、登録端末であると認証した場合、疑似着信制御手段２１５は、携帯電話に電話帳データ送信手段２１９から電話帳データを送信し、電話帳データに基づいて携帯電話が選択した通話先の情報を受信すると、接続ルート選択手段２１７は、携帯電話と通話先とから通話料金の安い接続ルートを選択し、接続制御手段２１８は、接続ルート選択手段２１７が選択した接続ルートに自ＩＰ電話機が含まれる場合、自ＩＰ電話機から通話発信して接続する。【選択図】図５
2008141318.tif 000002
【特許請求の範囲】
【請求項１】
ウエブサーバ機能を有し、ブロードバンドルータに接続されたＩＰ電話機を用いたＩＰ電話システムにおいて、
前記ＩＰ電話機は、電話帳データ送信手段と、端末認証手段と、ウエブ接続判定手段と、疑似着信制御手段と、接続ルート選択手段と、接続制御手段と、を備え、
携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて登録端末か否かを認証し、登録端末であると認証した場合、前記疑似着信制御手段は、前記携帯電話に電話帳データ送信手段から電話帳データを送信し、前記電話帳データに基づいて前記携帯電話が選択した通話先の情報を受信すると、前記接続ルート選択手段は、携帯電話と通話先とから通話料金の安い接続ルートを選択し、前記接続制御手段は、前記接続ルート選択手段が選択した接続ルートに自ＩＰ電話機が含まれる場合、自ＩＰ電話機から前記携帯電話および通話先に通話発信して通話接続することを特徴とするＩＰ電話システム。
【請求項２】
前記携帯電話は、前記ＩＰ電話機から受信しブラウザに表示された電話帳データから通話先を選択する通話先選択手段と、前記接続ルート選択手段が該携帯電話からの通話発信を選択した場合に通知されるメッセージを表示するメッセージ表示手段と、を備えたことを特徴とする請求項１に記載のＩＰ電話システム。
【請求項３】
前記接続ルート選択手段が選択した接続ルートに自ＩＰ電話機が含まれる場合、自ＩＰ電話機から通話発信して携帯電話と通話接続する場合、３者通話機能を用いて前記携帯電話と通話先とを接続することを特徴とする請求項１に記載のＩＰ電話システム。
【請求項４】
前記ＩＰ電話機は更に、ＱＲコード生成手段と、端末登録手段と、を備え、
前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする請求項１に記載のＩＰ電話システム。
【請求項５】
ウエブサーバ機能を有し、ブロードバンドルータに接続されたＩＰ電話機において、
前記ＩＰ電話機は、電話帳データ送信手段と、端末認証手段と、ウエブ接続判定手段と、疑似着信制御手段と、接続ルート選択手段と、接続制御手段と、を備え、
携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて登録端末か否かを認証し、登録端末であると認証した場合、前記疑似着信制御手段は、前記携帯電話に電話帳データ送信手段から電話帳データを送信し、前記電話帳データに基づいて前記携帯電話が選択した通話先の情報を受信すると、前記接続ルート選択手段は、携帯電話と通話先とから通話料金の安い接続ルートを選択し、前記接続制御手段は、前記接続ルート選択手段が選択した接続ルートに自ＩＰ電話機が含まれる場合、自ＩＰ電話機から前記携帯電話および通話先に通話発信して通話接続することを特徴とするＩＰ電話機。
【請求項６】
前記携帯電話は、前記ＩＰ電話機から受信しブラウザに表示された電話帳データから通話先を選択する通話先選択手段と、前記接続ルート選択手段が該携帯電話からの通話発信を選択した場合に通知されるメッセージを表示するメッセージ表示手段と、を備え、前記ＩＰ電話機は、前記接続ルート選択手段が該携帯電話からの通話発信を選択した場合、前記通知メッセージを前記携帯電話に送信することを特徴とする請求項５に記載のＩＰ電話機。
【請求項７】
前記接続ルート選択手段が選択した接続ルートに自ＩＰ電話機が含まれる場合、自ＩＰ電話機から通話発信して携帯電話と通話接続する場合、３者通話機能を用いて前記携帯電話と通話先とを接続することを特徴とする請求項５に記載のＩＰ電話機。
【請求項８】
前記ＩＰ電話機は更に、ＱＲコード生成手段と、端末登録手段と、を備え、
前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする請求項５に記載のＩＰ電話機。
【発明の詳細な説明】
【技術分野】
【０００１】
本発明は、ＩＰ電話機能とウエブサーバ機能を有するＩＰ電話機を備えたＩＰ電話システムおよびＩＰ電話機に関するものであり、特に、外部ネットワークを介して携帯電話からＩＰ電話機側のウエブサーバに接続し、ウエブサーバに登録した電話帳を参照して、携帯電話から発信先電話番号を選択してＩＰ電話機に通知し、ＩＰ電話機側で通話料金の安い接続ルートを選択し、当該選択した接続ルートで通話できるようにしたＩＰ電話システムおよびＩＰ電話機に関するものである。
【背景技術】
【０００２】
近年、ＩＰネットワークを使用したＩＰ電話サービスが行なわれている。ＩＰ電話システムにおいて、送話側からの音声はデジタル化され、さらにＩＰパケットに変換され、ＩＰネットワーク上を流れ、通話先（受話側）まで到達する。通話先において受信されたＩＰパケットは元の情報に復元され、こうして送話側と通話先との間で通話を行なうことができる。このＩＰ電話システムは、既存の電話網と比べて、運用・保守・管理コストを削減することができるため、広く使用されつつある。
【０００３】
また、最近では、ＡＳＰ（Ａｐｐｌｉｃａｔｉｏｎ  Ｓｅｒｖｉｃｅ  Ｐｒｏｖｉｄｅｒ）方式により、ウエブ上において登録グループ内でスケジュールを共有し、また電話帳や住所録等のへのアクセスができるグループウェアと称されるサービスが普及してきている。携帯電話においても殆どの機種がウエブブラウザを搭載するようになり、さらに携帯電話用のコンパクトＨＴＭＬ（Ｈｙｐｅｒ  Ｔｅｘｔ  Ｍａｒｋｕｐ  Ｌａｎｇｕａｇｅ）の標準化等に伴いどの事業者からもアクセス可能なウエブページを作成できるようになってきている。
【０００４】
ＩＰ電話システムとして、現在、ＶｏＩＰ（Ｖｏｉｃｅ  ｏｖｅｒ  Ｉｎｔｅｒｎｅｔ  Ｐｒｏｔｏｃｏｌ）システムが市販されている。ＶｏＩＰシステムの代表的な呼制御プロトコルとしてＳＩＰ（Ｓｅｓｓｉｏｎ  Ｉｎｉｔｉａｔｉｏｎ  Ｐｒｏｔｏｃoｌ）がある。このＳＩＰのサーバによる呼制御にはＩＮＶＩＴＥと呼ばれる発信用の制御コマンドがある。ＩＮＶＩＴＥコマンドは発信側のＩＰ電話機より送信先に送られる最初の制御メッセージで、このメッセージには、宛先アドレス、発信者アドレス、通信能力情報のほか発信者名や会社名などを電話機毎に発呼用の付帯情報として着信先に送ることができる。
【０００５】
最近のＩＰ電話機にはウエブサーバ機能を備えたものもあり、電話機として機能する他、インターネット網を介して各種のデータ通信も行うことができるようになってきている。このようなＩＰ電話機はブロードバンドルータに接続され、電話通信、データ通信を行うことができる。また、家庭内などの小規模なＬＡＮ環境で設置されるＩＰ電話機には、このため、ウエブサーバ機能の他に更に、ブロードバンドルータの機能を内蔵した電話機も提供されている。ＩＰ電話機を接続するブロードバンドルータには前述のＳＩＰサーバ機能が内蔵されている。
【０００６】
ＩＰネットワークでは、ＩＰアドレスのような機器に割当てられたアドレスを使用することによって相手を一意に認識する必要がある。このため、ＩＰ電話機にはプライベートＩＰと呼ばれるＩＰ電機としてのＩＰアドレスガ割り当てられ、ＩＰ電話機が接続されるプロードバンドルータには、グローバルＩＰと呼ばれるＩＰアドレスが割り当てられる。プライベートＩＰアドレスはブロードバンドルータにより管理されるＬＡＮ内部におけるＩＰアドレスであり、グローバルＩＰアドレスはＩＰネットワークに接続されるブロードバンドルータ等の管理サーバを一意に特定するユニークなＩＰアドレスである。
【０００７】
ところで、ＩＰネットワークに接続されたＩＰ電話機に外部から電話をかける場合、図７に示すように、ＩＰ電話網Ｎ１、固定電話網Ｎ２、携帯電話網Ｎ３などを用いて、固定ＩＰ電話機１２０、固定電話機１３０、携帯電話１４０から通話先（相手方）のブロードパンドルータ１１０やＳＩＰサーバ（図示せず）を経由してＩＰ電話機１００を呼び出して該ＩＰ電話機１００と発信元の電話機との接続制御が行われる。通話料金の課金は発信側に対して行われ、電話機がＩＰ電話機であるか、固定電話機であるか、携帯電話であるかによって異なる。
【０００８】
また、図７のシステムにおいて、携帯電話１４０がウエブブラウザ機能を搭載しており、通信先のＩＰ電話機１００がウエブサーバ機能やウエブページを提供している場合には、携帯電話１４０からブラウザ機能を用いてＩＰ電話機１００にインターネット接続してデータ通信を行うことができる。
【０００９】
電話通信を利用した場合の料金は電話機の種別に応じて異なる。通常はＩＰ電話機を用いた通話が最も通話料金が安く、ＩＰ電話システムを有効に利用して通信コストを抑制するために種々の方法が提案されている。例えば、下記の特許文献１（特開２００４−３５６９０７号公報）には、携帯電話とＩＰ電話機とをセンターからの呼制御により接続して相互の通話を行うＩＰ電話システムにおいて、携帯電話に送信されたウエブページから通話先を指定することで指定された通話先との接続をセンターからのコールバックにより行うようにしたＩＰ電話機の通話システムが開示されている。
【００１０】
この特許文献１に開示されたＩＰ電話機の通話システムは、メール受信機能及びブラウザ機能を持つ携帯電話とＩＰ電話機とを接続する管理センターと、管理センターに接続して各種手続きを行う法人・団体のクライアント端末とで構成され、管理センターは、クライアント端末及び携帯電話と情報の授受を行うウエブサーバと、法人・団体を特定する情報と携帯電話の利用者情報と固定電話への接続先情報とを登録・保存するデータベースと、携帯電話に管理センターへのＵＲＬリンクを記載した電子メールを送信する手段と、ＩＰ電話機への接続先情報を含む電話帳を掲載したウエブページを携帯電話に送信する手段と、携帯電話から送信されてきた通話先への接続先情報に基づいて携帯電話とＩＰ電話機との呼制御を行うセッション管理手段と、携帯電話とＩＰ電話機との通話に伴う課金情報を管理する手段とを備えたものである。
【特許文献１】特開２００４−３５６９０７号公報（図１、段落［０００１］、［０００５］、［要約］）
【発明の開示】
【発明が解決しようとする課題】
【００１１】
最近では、前述したようにウエブサーバ機能やブロードバンドルータ機能を備えたＩＰ電話機が提供されており、比較的安いコストでＩＰ電話システムを設置できるようになってきている。このため通信コストを抑制する目的で家庭内にＩＰ電話システムを設置する個人も多くなってきている。
【００１２】
家庭内に設置されたＩＰ電話システムを有効に利用して通信料金を抑制するためには、外部からの着信に対して、ＩＰ電話機からコールバックできることが好ましい。例えば、家族が外部から携帯電話を使って家庭に電話をかける場合にそのまま接続してしまうと、携帯電話の通話料金で課金が行われてしまい通信コストの抑制にはならない。
【００１３】
また、携帯電話からの通話先によっては、携帯電話から直接通話先を呼び出して通話するほうが通話料金を安くすることができる場合もある。しかしながら、電話料金の体系が複雑であることから、携帯電話の利用者が通話先と通話料金とを把握して、接続ルートを選択することは現実的には困難である。
【００１４】
そこで、上記特許文献１に開示されたシステムのように、外部からの着信に対してコールバック接続してＩＰ電話機側から発信元の携帯電話に通話できると通話料金を抑制することができる。また、上記特許文献１のようにＩＰ電話機への接続先情報を含む電話帳を掲載したウエブページを携帯電話に送信する手段を持ち、携帯電話から送信されてきた通話先への接続先情報に基づいて携帯電話とＩＰ電話機との呼制御を行うえば通話料金の安い接続ルートで通話することができるようになる。
しかしながら、上記特許文献１に開示された通話システムは、企業内や多数の会員を要するグループを対象にした大規模なシステムであり、管理センターシステムが必要である。このため、家庭や数人程度の小規模なグループに導入することができないという問題点があった。
【００１５】
本願の発明者は上記の問題点を解消すべく種々検討を重ねた結果、一般の携帯電話が備えているウエブブラウザ機能を使用し、外部ネットワークを介して携帯電話からＩＰ電話機側のウエブサーバに接続があった場合に、ウエブサーバに登録した電話帳を参照して、携帯電話から発信先電話番号を選択してＩＰ電話機に通知し、ＩＰ電話機側で通話料金の安い接続ルートを選択し、当該選択した接続ルートで接続制御するようになせば、前記の問題点を解消し得ることに想到して本発明を完成するに至ったものである。
【００１６】
すなわち、本発明は、前記の問題点を解消することを課題とし、携帯電話のウエブブラウザ機能を使用し、携帯電話からＩＰ電話機のウエブサーバに接続があった場合に、電話帳を参照して通信先を選択し、選択された通話先に応じて通話料金の安い接続ルートで通話できるようにしたＩＰ電話システムおよびＩＰ電話機を提供することを目的とするものである。
【課題を解決するための手段】
【００１７】
前記課題を解決するために、本願の請求項１にかかる発明は、ウエブサーバ機能を有し、ブロードバンドルータに接続されたＩＰ電話機を用いたＩＰ電話システムにおいて、前記ＩＰ電話機は、電話帳データ送信手段と、端末認証手段と、ウエブ接続判定手段と、疑似着信制御手段と、接続ルート選択手段と、接続制御手段と、を備え、携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて登録端末か否かを認証し、登録端末であると認証した場合、前記疑似着信制御手段は、前記携帯電話に電話帳データ送信手段から電話帳データを送信し、前記電話帳データに基づいて前記携帯電話が選択した通話先の情報を受信すると、前記接続ルート選択手段は、携帯電話と通話先とから通話料金の安い接続ルートを選択し、前記接続制御手段は、前記接続ルート選択手段が選択した接続ルートに自ＩＰ電話機が含まれる場合、自ＩＰ電話機から前記携帯電話および通話先に通話発信して通話接続することを特徴とする。
【００１８】
本願の請求項２にかかる発明は、請求項１にかかるＩＰ電話システムにおいて、前記携帯電話は、前記ＩＰ電話機から受信しブラウザに表示された電話帳データから通話先を選択する通話先選択手段と、前記接続ルート選択手段が該携帯電話からの通話発信を選択した場合に通知されるメッセージを表示するメッセージ表示手段と、を備えたことを特徴とする。
【００１９】
本願の請求項３にかかる発明は、請求項１にかかるＩＰ電話システムにおいて、前記接続ルート選択手段が選択した接続ルートに自ＩＰ電話機が含まれる場合、自ＩＰ電話機から通話発信して携帯電話と通話接続する場合、３者通話機能を用いて前記携帯電話と通話先とを接続することを特徴とする。
【００２０】
本願の請求項４にかかる発明は、請求項１にかかるＩＰ電話システムにおいて、前記ＩＰ電話機は更に、ＱＲコード生成手段と、端末登録手段と、を備え、前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする。
【００２１】
また、本願の請求項５にかかる発明は、ウエブサーバ機能を有し、ブロードバンドルータに接続されたＩＰ電話機において、前記ＩＰ電話機は、電話帳データ送信手段と、端末認証手段と、ウエブ接続判定手段と、疑似着信制御手段と、接続ルート選択手段と、接続制御手段と、を備え、携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて登録端末か否かを認証し、登録端末であると認証した場合、前記疑似着信制御手段は、前記携帯電話に電話帳データ送信手段から電話帳データを送信し、前記電話帳データに基づいて前記携帯電話が選択した通話先の情報を受信すると、前記接続ルート選択手段は、携帯電話と通話先とから通話料金の安い接続ルートを選択し、前記接続制御手段は、前記接続ルート選択手段が選択した接続ルートに自ＩＰ電話機が含まれる場合、自ＩＰ電話機から前記携帯電話および通話先に通話発信して通話接続することを特徴とする。
【００２２】
本願の請求項６にかかる発明は、請求項５にかかるＩＰ電話機において、前記携帯電話は、前記ＩＰ電話機から受信しブラウザに表示された電話帳データから通話先を選択する通話先選択手段と、前記接続ルート選択手段が該携帯電話からの通話発信を選択した場合に通知されるメッセージを表示するメッセージ表示手段と、を備え、前記ＩＰ電話機は、前記接続ルート選択手段が該携帯電話からの通話発信を選択した場合、前記通知メッセージを前記携帯電話に送信することを特徴とする。
【００２３】
本願の請求項７にかかる発明は、請求項５にかかるＩＰ電話機において、前記接続ルート選択手段が選択した接続ルートに自ＩＰ電話機が含まれる場合、自ＩＰ電話機から通話発信して携帯電話と通話接続する場合、３者通話機能を用いて前記携帯電話と通話先とを接続することを特徴とする。
【００２４】
本願の請求項８にかかる発明は、請求項５にかかるＩＰ電話機において、前記ＩＰ電話機は更に、ＱＲコード生成手段と、端末登録手段と、を備え、前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする。
【発明の効果】
【００２５】
請求項１にかかる発明においては、携帯電話からブロードバンドルータを介してＩＰ電話機のウエブサーバに接続があったことをウエブ接続判定手段が検出した場合、端末認証手段は、携帯電話使用者のＩＤに基づいて登録端末か否かを認証し、登録端末であると認証した場合、疑似着信制御手段は、携帯電話に電話帳データ送信手段から電話帳データを送信し、電話帳データに基づいて携帯電話が選択した通話先の情報を受信すると、接続ルート選択手段は、携帯電話と通話先とから通話料金の安い接続ルートを選択し、接続制御手段は、前記接続ルート選択手段が選択した接続ルートに自ＩＰ電話機が含まれる場合、自ＩＰ電話機から前記携帯電話および通話先に通話発信して通話接続する。
【００２６】
このような構成によれば、登録端末である携帯電話からウエブ接続があると、ＩＰ電話機は、携帯電話からの疑似着信と判断して、ＩＰ電話機のウエブサーバに保存されている電話帳データを携帯電話に送り、この電話帳データから携帯電話が選択した通話先の情報を受信し、通話料金の安い接続ルートを選択するから、接続ルートに自ＩＰ電話機が含まれる場合はＩＰ電話機から携帯電話および通話先に自動的に通話発信することができるようになる。
【００２７】
請求項２にかかる発明においては、請求項１にかかるＩＰ電話システムにおいて、前記携帯電話は、前記ＩＰ電話機から受信しブラウザに表示された電話帳データから通話先を選択する通話先選択手段と、前記接続ルート選択手段が該携帯電話からの通話発信を選択した場合に通知されるメッセージを表示するメッセージ表示手段と、を備える。
【００２８】
このような構成によれば、ＩＰ電話機に登録された携帯電話を利用し該ＩＰ電話機に保存された電話帳データを受信して、通話先を選択して通話料金の安い接続ルートで自動的に通話先に接続することができるようになる。また、携帯電話から発信したほうが通話料金を抑制できる場合は、ＩＰ電話機からその旨のメッセージを受信することができるようになる。
【００２９】
請求項３にかかる発明においては、請求項１にかかるＩＰ電話システムにおいて、前記接続ルート選択手段が選択した接続ルートに自ＩＰ電話機が含まれる場合、自ＩＰ電話機から通話発信して携帯電話と通話接続する場合、３者通話機能を用いて前記携帯電話と通話先とを接続する。
【００３０】
このような構成によれば、通話料金の安い接続ルートが選択され、接続ルートに自ＩＰ電話機が含まれる場合は、ＩＰ電話機が備える３者通話機能を用いて、ＩＰ電話機からら携帯電話および携帯電話が選択した通話先に自動的に通話発信し、携帯電話とその通話先との間で通話をすることできるようになる。
【００３１】
請求項４にかかる発明においては、請求項１にかかるＩＰ電話システムにおいて、前記ＩＰ電話機は更に、ＱＲコード生成手段と、端末登録手段と、を備え、
前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行う。
【００３２】
このような構成によれば、携帯電話をＩＰ電話機に容易に端末登録することができるようになる。
【００３３】
また、請求項５〜請求項８にかかる発明においては、それぞれ請求項１〜請求項４にかかるＩＰ電話システムを構成するＩＰ電話機を提供することができるようになる。
【発明を実施するための最良の形態】
【００３４】
以下、本発明の具体例を実施例及び図面を用いて詳細に説明する。但し、以下に示す実施例は、本発明の技術思想を具体化するためのＩＰ電話システムを例示するものであって、本発明をこの実施例のＩＰ電話システムに特定することを意図するものではなく、特許請求の範囲に含まれるその他の実施形態のＩＰ電話システムにも等しく適用し得るものである。
【実施例】
【００３５】
図１は、本発明の実施例にかかるＩＰ電話システムの構成を示すシステム構成図である。図１においてネットワークＮＷ１は、ＬＡＮ（ローカル・エリア・ネットワーク）環境にあり、ブロードバンドルータ３０とブロードバンドルータ３０に接続されたＩＰ電話機２０とからなるＩＰ電話システムを構成している。ブロードバンドルータ３０は、グローバルＩＰアドレスが割り当てられている。
【００３６】
ＩＰ電話機２０は、ブロードバンドルータ３０にＬＡＮ接続されており、ＬＡＮ環境におけるプライベートＩＰアドレスが割り当てられている。このＩＰ電話機２０は、ＳＩＰサーバ機能を備えＩＰ電話機として用いられるとともにウエブサーバ機能を備え、インターネット接続も可能である。このため、ＩＰ電話機２０には、ウエブサーバの接続ポートおよびＳＩＰサーバの接続ポートが設けられ、それぞれのポートにウエブサーバ、ＳＩＰサーバが接続される。
【００３７】
ブロードバンドルータ３０には、ＬＡＮ接続されるＩＰ電話機２０等の接続制御のためのアドレス変換テーブルが設けられており、ＩＰ電話機２０に対して外部からの通話着信やウエブサーバ接続があった場合には、ブロードバンドルータ３０はこのアドレス変換テーブルを参照してポート変換を行う。
【００３８】
インターネット環境にあるネットワークＮＷ２に接続されるＩＰ電話機４０や携帯電話５０は、ブロードバンドルータ３０を介してＩＰ電話機２０に通話発信したり、ウエブブラウザを用いてＩＰ電話機２０のウエブサーバにインターネット接続したりすることができる。ネットワークＮＷ２に接続可能なＩＰ電話機４０や携帯電話５０は、それぞれＩＰ電話としてのグローバルＩＰアドレスとポートを備えている。
【００３９】
ネッワークＮＷ１のブロードバンドルータ３０およびＩＰ電話機２０のＩＰアドレスとポート、アドレス変換テーブルの具体的な設定例、ネットワークＮＷ２のＩＰ電話機４０および携帯電話５０のＩＰアドレスとポート、アドレス変換テーブルの具体的な設定例は、それぞれ図２、図３に示されている。
【００４０】
図２に示すように、例えば、ブロードバンドルータ３０のグローバルＩＰアドレスは「２０２．２１４．１７４．５１」であり、ＩＰ電話機２０のプライベートＩＰアドレスは「１９２．１６８．１０．５」である。また、ＩＰ電話機２０におけるＷＥＢサーバとＳＩＰサーバの接続ポートは、それぞれ「８０８０」、「５０６０」である。ブロードバンドルータ３０のアドレス変換テーブルには、自身のポートにＩＰ電話機２０のプライベートＩＰアドレスとポートの変換データが記憶されている。例えば、ポート８０にはＩＰ電話機２０のプライベートＩＰアドレス「１９２．１６８．１０．５」とＷＥＢサーバの接続ポート「８０８０」との対応関係が記憶されている。ＩＰ電話機２０のＳＩＰサーバ接続ポートについても同様である。
【００４１】
外部のネットワークに接続された機器からブロードバンドルータ３０のグローバルＩＰアドレスに対してＩＰ電話機２０に対する接続要求があると、ブロードバンドルータ３０はアドレス変換テーブルを参照してＩＰ電話機２０の何れかのポートを選択して外部機器を接続する。
例えば、外部のネットワークＮＷ２の携帯電話５０からＩＰ電話機２０のＷＥＢサーバへの接続要求は携帯電話５０のウエブブラウザを用いてブロードバンドルータ３０のグローバルＩＰアドレス「２０２．２１４．１７４．５１」とポート「８０」を指定して行われる。この接続要求に対してブロードバンドルータ３０はアドレス変換テーブルを参照してＩＰ電話機２０のプライベートＩＰアドレス「１９２．１６８．１０．５」とポート「８０８０」に変換して接続する。携帯電話５０からのＩＰ電話としての通話接続要求（着信）も同様に、ブロードバンドルータ３０のグローバルＩＰアドレス「２０２．２１４．１７４．５１」とポート「５０６０」を指定して行われる。この接続要求に対してブロードバンドルータ３０はアドレス変換テーブルを参照してＩＰ電話機２０のプライベートＩＰアドレス「１９２．１６８．１０．５」とポート「５０６０」に変換して接続する。
【００４２】
すなわち、外部の携帯電話５０等は、ブロードバンドルータ３０のグローバルＩＰアドレスとポートなどの情報を取得すれば、該ブロードバンドルータ３０に接続されたＩＰ電話機２０にＷＥＢ接続することができる。本発明においては、ネットワークＮＷ１のＬＡＮ環境にあるＩＰ電話機２０に対して、家人や知人の携帯電話からＷＥＢ接続要求ができるようにし、ＷＥＢ接続があった場合に、ＩＰ電話機２０側では、ＩＰ電話としての疑似着信があったものと見なし、ＩＰ電話機２０のウエブサーバに保存されている電話帳を携帯電話５０のブラウザに表示させて通話先を選択させる。
【００４３】
そして、ＩＰ電話機２０は、携帯電話５０が選択した通話先の情報に基づいて、ＩＰ電話機５０を含む携帯電話と通話先との接続ルートを調査し、通話料金の安い接続ルートを選択して自動接続する。例えば、携帯電話５０とその通話先とをＩＰ電話機２０から三者通話機能を利用して接続すれば、携帯電話の通話料でなく、ＩＰ電話としての通話料で携帯電話５０とその通話先との通話が可能になる。
【００４４】
なお、携帯電話５０等にブロードバンドルータ３０のグローバルＩＰアドレスとポートを取得させる方法については後述する。携帯電話５０から直接通話先に接続したほうが、通話料金が安くなる場合は、ＩＰ電話機２０は携帯電話５０にその旨のメッセージを送信する。ただし、この場合、ＩＰ電話の基本料金が安ければ、携帯電話５０の通話料金が高くてもトータルで電話料金が安くなる場合もある。その場合、三者通話機能を利用してＩＰ電話機２０から携帯電話５０とその通話先に接続するようにしてもよい。
【００４５】
ＩＰ電話機２０でこのような接続を行う携帯電話５０は、ＩＰ電話システムを設置している家庭内の家族の持つ携帯電話５０であり、この場合、該携帯電話５０の利用者ＩＤ（例えば、サブスクライバＩＤ）をＩＰ電話機２０に登録しておく。登録された携帯電話５０から疑似着信（ＩＰ電話機２０へのＷＥＢ接続）があった場合に認証をとり、自動的に前述の手順で通話先の選択、接続ルートの選択、接続制御を行うように構成する。
【００４６】
以下、このような構成のＩＰ電話機２０について詳細に説明する。図４は、本発明の実施例にかかるＩＰ電話機２０の構成を示すブロック図である。ＩＰ電話機２０は、ウエブサーバ機能部２２０、ＳＩＰサーバ機能部２３０を備え、ＬＡＮインターフェイス（ＩＦ）２４０を介してＬＡＮ等のネットワークに接続されている。
【００４７】
また、ＩＰ電話機２０は、音声出力のためのスピーカ２０１、音声入力のためのマイク２０２、音声コーディック２０３を備え、音声コーディック２０３は音声の符号化と複合化、すなわち音声のアナログとデジタルの変換を行っている。この音声コーディック２０３はその他に受話音量やマイクの感度変更の機能を備えている。
【００４８】
ＩＰ電話機２０は、ディスプレイパネルによる表示部２０４と、主としてプッシュ釦から構成される入力部２０５と、ＲＯＭ２０６、ＲＡＭ２０７、ＥＥＰＲＯＭ２０８を備えている。主制御部２１０はマイクロプロセッサ等のコンピュータ装置で構成され、ＲＯＭ２０６やＥＥＰＲＯＭ２０８に蓄積された制御プログラムや各種設定値に基づいて各部の制御を行う。また、主制御部２１０はＲＡＭ２０７に各部の処理において必要なデータ類を一時記憶する。
【００４９】
図５は、図４に示すＩＰ電話機２０の主制御部２１０の機能構成を示す機能ブロック図である。主制御部２１０は、ＱＲコード生成手段２１１、端末登録手段２１２、ウエブ接続判定手段２１３、端末認証手段２１４、疑似着信制御手段２１５、オフフック検出手段２１６、接続ルート選択手段２１７、接続制御手段２１８、電話帳データ送信手段２１９を備えている。ＱＲコード生成手段２１１と端末登録手段２１２の機能については後述する。
【００５０】
外部のインターネット環境にある携帯電話５０から前述した方法でＩＰ電話機２０のウエブサーバ機能部に対する接続要求があると、ウエブ接続判定手段２１３がこれを検出し、端末認証手段２１４は、端末登録手段２１２に登録された携帯電話であるか否かの認証を行う。端末登録手段２１２にはＩＰ電話機２０に対してウエブ接続して後述する接続ルート選択および自動接続を認める携帯電話の利用者のサブスクライバＩＤ、電話番号、利用者の名前などが登録されている。
【００５１】
端末認証手段２１４は端末登録手段２１２に登録されたこれらのデータに基づいてＩＰ電話機２０に登録された携帯電話であるかを認証する。登録端末である携帯電話５０は、例えば、ＩＰ電話機２０を含むＩＰ電話システムを設置した家庭の家族の携帯電話５０である。従って、登録端末である携帯電話５０からＩＰ電話機２０に対してウエブ接続があったら、疑似着信制御手段２１５は、疑似着信であると判断する。そしてＩＰ電話機２０は、電話帳データ送信手段２１９の電話帳データを携帯電話５０に送り、携帯電話５０はブラウザに電話帳データを表示し、表示された電話帳から所望の通話先を選択する。
【００５２】
携帯電話５０が選択した通話先の情報は、ＩＰ電話機２０に送られ、接続ルート選択手段２１７は、携帯電話５０および携帯電話５０が選択した通話先の情報に基づいて、通話料金が安い接続ルートを選択する。そして接続制御手段２１８は、接続ルート選択手段２１７が選択した接続ルートに従って通話接続する。これによって携帯電話５０はウエブ接続機能を用いてＩＰ電話機２０に接続して、通話料金の安い接続ルートで所望の通話先に通話接続することができるようになる。
【００５３】
この時、通常の電話着信の場合と同様の着信音（ウエブ接続であるので疑似的に電話の着信を知らせる疑似着信音）を生成して着信音を鳴動させてもよい。そして在宅している家族がＩＰ電話機２０の受話器を取り上げる（オフフックする）と、オフフック検出手段２１６がこれを検出し、３者通話に参加することができるように構成することもできる。
【００５４】
先に述べたように、外部の携帯電話５０等は、ブロードバンドルータ３０のグローバルＩＰアドレスとポートなどの情報を取得すれば、該ブロードバンドルータ３０に接続されたＩＰ電話機２０にＷＥＢ接続することができる。外部の携帯電話５０等にＩＰ電話機２０のウエブ接続のためのデータは、本質的に携帯電話５０に手入力で設定できるものである。しかし、本実施例においては、携帯電話５０における入力を容易にするため、ＩＰ電話機２０に設けたＱＲコード生成手段２１１を用いるようにしている。
【００５５】
先ず、ＩＰ電話機２０を操作してブロードバンドルータ３０に接続する。この接続は、いわゆるｕＰｎＰ（汎用プラグイン  アンド  プレイ  プロトコル）のプロトコルを用いて行うことができる。このプロトコルによれば、ＬＡＮ内の機器が必要に応じてルータやファイヤウォールにポートの開閉や外部からの接続要求に対するマッピングなどを要求する手順が用意されている。これにより、ルータが保持しているグローバルＩＰアドレスを確認したり、動的にポートマッピングを設定するように要求したりすることができる。
【００５６】
このプロトコルを用いてＩＰ電話機２０は、ブロードバンドルータ３０からグローバルＩＰアドレスとポートを取得し、ＱＲコード生成手段２１１は、ブロードバンドルータ３０の接続先情報、アドレス変換テーブルの情報を含むＱＲコードを生成して表示部２０４に表示する。
【００５７】
ＩＰ電話機２０の表示部２０４にＱＲコードが表示されると、外部の携帯電話５０等、すなわち家族の携帯電話により表示されたＱＲコードを読み取る。最近の携帯電話はＣＣＤカメラなどの撮像手段やＱＲコード読み取り装置を内蔵している場合が多く、携帯電話に特別の機能を追加することなくＱＲコードの読み取りが可能である。携帯電話５０はＱＲコードから読み取った情報を携帯電話側の接続情報として保存する。
【００５８】
次に、携帯電話５０は保存した接続情報を用いてＩＰ電話２０にウエブ接続を要求する。携帯電話５０からウエブ接続されたＩＰ電話機は、この時に携帯電話５０のサブスクライバＩＤを携帯電話５０から取得し、端末登録手段２１２にサブスクライバＩＤを登録する。これにより携帯電話５０はＩＰ電話機２０に端末登録され、以後、ＩＰ電話機２０にウエブ接続すると、ＩＰ電話機２０は前述した疑似着信させることができるようになる。
【００５９】
図６は、以上説明した本発明の実施例にかかるＩＰ電話機２０の動作手順を示すフローチャートである。先ず、ステップＳ１０１の処理において、ＩＰ電話機２０に外部のネットワークに属する携帯電話５０（図１参照）からウエブ接続があるとウエブ接続判定手段２１３がこれを検出する。
【００６０】
次いで、ステップＳ１０２の処理において端末認証手段２１４は端末登録手段２１２に記録されたデータ（サブスクライバＩＤなど）を参照して認証を行う。登録端末である携帯電話５０からの接続であることが認証されると、ステップＳ１０３の処理に進み、疑似着信制御手段２０３は疑似着信と判別し、ウエブサーバ機能部２３０に保存されている電話帳データを電話帳データ送信手段２１９から携帯電話５０に送信する。
【００６１】
ステップＳ１０２の判別処理において携帯電話５０が登録端末でない場合、ＩＰ電話機２０はステップＳ１０７の処理に進み、通常のウエブ（ＷＥＢ）応答をして処理を終了する。
【００６２】
ステップＳ１０４の処理において、携帯電話５０が選択した通話先の情報を受信すると、ステップＳ１０５の処理において接続ルート選択手段２１７は、通話先の情報に基づいて通話料金の安い接続ルートを選択する。次いで、ステップＳ１０６の処理において接続ルートに自ＩＰ電話機２０が含まれているか否かを判別する。
【００６３】
ステップＳ１０６の判別処理において、接続ルートに自ＩＰ電話機２０が含まれていない場合には、携帯電話機５０から通話先に直接通話接続したほうが、通話料金が安くなることを意味しており、ＩＰ電話機２０はステップＳ１０８の処理において、この旨のメッセージを通知する。この後のステップＳ１０９の処理は携帯電話５０側の処理であり、ＩＰ電話機２０は処理を終了する。前述の通知を受けた携帯電話５０は、ステップＳ１０９の処理において発信操作を行う。
【００６４】
一方、ステップＳ１０６の判別処理において、接続ルートに自ＩＰ電話機２０が含まれていると判別された場合は、ＩＰ電話機２０から通話発信したほうが、通話料金が安いことを意味しており、ステップＳ１０６の処理に進み、接続制御手段２１８はＩＰ電話機２０から携帯電話２０および通話先（携帯電話側で選択した通話先）にＩＰ電話としての通話発信を行って接続する。このような処理により、ＩＰ電話機２０の３者通話機能を利用して、携帯電話５０と通話先との通話をＩＰ電話としての通話料金で行うことができるようになる。
【００６５】
以上、詳細に説明したように、本発明にかかるＩＰ電話システムによれば、外部のネットワークから携帯電話を用いて、家庭のＩＰ電話機にウエブブラウザ接続すると、ＩＰ電話機は該携帯電話の認証を行い、認証できた場合にはＩＰ電話機側で疑似着信として処理を行う。この処理において、ＩＰ電話機２０のウエブサーバに保存されている電話帳を携帯電話５０のブラウザに表示させて通話先を選択させる。そして、ＩＰ電話機２０は、携帯電話５０が選択した通話先の情報に基づいて、ＩＰ電話機５０を含む携帯電話と通話先との接続ルートを調査し、通話料金の安い接続ルートを選択して自動接続する。例えば、携帯電話５０とその通話先とをＩＰ電話機２０から三者通話機能を利用して接続するから、携帯電話の通話料でなく、ＩＰ電話としての通話料で携帯電話５０とその通話先との通話が可能になる。
【図面の簡単な説明】
【００６６】
【図１】本発明の実施例にかかるＩＰ電話システムの構成を示すシステム構成図である。
【図２】図１のＩＰ電話システムにおいてＬＡＮ環境にある機器のＩＰアドレス、ポートの具体例を示す図である。
【図３】図１のＩＰ電話システムにおいてインターネット環境にある機器のＩＰアドレス、ポートの具体例を示す図である。
【図４】本発明の実施例にかかるＩＰ電話機の構成を示すブロック図である。
【図５】本発明の実施例にかかるＩＰ電話機の制御部機能の構成を示す機能ブロック図である。
【図６】本発明の実施例にかかるＩＰ電話機のウエブ接続時の動作手順を示すフローチャートである。
【図７】一般的なＩＰ電話システムの構成を示す図である。
【符号の説明】
【００６７】
ＮＷ１・・・・ＩＰ電話システム
ＮＷ２・・・・インターネット網
２０・・・・・ＩＰ電話機
３０・・・・・ブロードバンドルータ
２１０・・・・主制御部
２１１・・・・ＱＲコード生成手段
２１２・・・・端末登録手段
２１３・・・・ウエブ接続判定手段
２１４・・・・端末認証手段
２１５・・・・疑似着信制御手段
２１６・・・・オフフック検出手段
２１７・・・・接続ルート選択手段
２１８・・・・接続制御手段
２１９・・・・電話帳データ送信手段
【図１】
2008141318.tif 000003
【図２】
2008141318.tif 000004
【図３】
2008141318.tif 000005
【図４】
2008141318.tif 000006
【図５】
2008141318.tif 000007
【図６】
2008141318.tif 000008
【図７】
2008141318.tif 000009